(57)【特許請求の範囲】
【請求項１】
機能設定の変更を行うための設定変更操作部及び発信信号を発信させる際に押し込み操作される押しボタンを有するスイッチ本体と、上記設定変更操作部を操作不能とするようにスイッチ本体をカバーするカバー部材とを備えた押しボタンスイッチにおいて、
上記カバー部材をスイッチ本体のカバー状態からカバー解除状態とする際、カバー部材から押しボタンに押圧力が与えられて、この押しボタンの押し込み操作が行われる構成とされていることを特徴とする押しボタンスイッチ。
【請求項２】
請求項１記載の押しボタンスイッチにおいて、
カバー部材は筒型に構成されており、
スイッチ本体はカバー部材の内部空間に挿入され、このスイッチ本体がカバー部材の内部空間から引き抜かれることにより設定変更操作部の操作が可能となる一方、
押しボタンはスイッチ本体の表面に突設されており、カバー部材には、その内部空間にスイッチ本体が挿入された状態において押しボタンが臨む開口が形成されていて、
この押しボタンが開口に臨んでいる状態では、カバー部材の内側面よりも押しボタンの頂部が外方に位置しており、このカバー部材の内側面に対する押しボタンの頂部の突出寸法は、スイッチ本体が発信信号を発信するために必要な押し込みストローク以上に設定されていることを特徴とする押しボタンスイッチ。
【請求項３】
請求項２記載の押しボタンスイッチにおいて、
押しボタンはスイッチ本体の表面の複数箇所に突設されていると共に、カバー部材の開口は、カバー部材の内部空間にスイッチ本体が挿入された状態において各押しボタンが臨む位置に形成されていて、スイッチ本体がカバー部材の内部空間から引き抜かれる際に、２つ以上の押しボタンがカバー部材の内側面によって略同時に押し込まれる構成とされていることを特徴とする押しボタンスイッチ。
【請求項４】
請求項３記載の押しボタンスイッチにおいて、
スイッチ本体は、個別に押し込み操作された押しボタンに応じて複数種類の発信信号を発するようになっている一方、
単独で押し込み操作される２つ以上の押しボタンが上記スイッチ本体をカバー部材の内部空間から引き抜く際にカバー部材の内側面によって略同時に押し込まれることにより発する発信信号は、上記各押しボタンが個別に押し込み操作された際の発信信号とは異なる信号となる構成とされていることを特徴とする押しボタンスイッチ。
【発明の詳細な説明】
【０００１】
【発明の属する技術分野】
本発明は、例えば非常用リモコンスイッチ等として適用される押しボタンスイッチに係る。特に、本発明は、機能設定の変更が可能に構成された押しボタンスイッチに対し、この機能設定が不用意に変更される虞れがある状況の認識を可能にするための構成の改良に関する。
【０００２】
【従来の技術】
従来より、防犯システムの非常用リモコンスイッチ等として使用される押しボタンスイッチが知られている。一般に、この種のスイッチは、複数の機能を備え、各機能に対して設定変更が可能となっている。具体的には、押しボタンスイッチの内部に設定変更のための複数のディップスイッチ等が収容されており、押しボタンスイッチのケーシングを開放して、これらディップスイッチを切り換えることで、受信機との間のシステムコード、非常信号の発信形態、ブザー音のＯＮ／ＯＦＦ切り換え等の各種の設定変更を行うことができる。例えば、防犯システムを管理する管理者（警備会社等）がこれらの機能設定を予め行っておき、防犯システムの利用者にこの押しボタンスイッチが貸し与えられて防犯システムが運用されることになる。
【０００３】
一方、一般的な防犯システムでは、例えば特開平１１−８６１５４号公報に開示されているように、侵入者を検知するためのセンサにタンパ機能（所謂いたずら防止機能）が備えられている。このタンパ機能とは、センサのケーシングが開放されたことを検知するためのスイッチや接点を備えさせ、侵入者が悪意を持って各種の機能設定を変更することを防止するようにした機能である。具体的には、ケーシングが開放された際には、その検知信号をシステム管理者に通報する等して侵入者による機能設定変更を阻止している。
【０００４】
【発明が解決しようとする課題】
ところで、押しボタンスイッチを携帯用として実現しようとした場合には、その内部構造をできるだけ簡素にして小型化を図る必要がある。そのため、上記タンパ機能を廃して、押しボタンスイッチ内にスイッチや接点を備えさせないようにすることが考えられる。
【０００５】
ところが、これでは、侵入者等の第三者や使用者が押しボタンスイッチのケーシングを開放したとしても、システム管理者はそれを把握することができない。その結果、上記第三者や使用者が各種の機能設定変更を行った状態のまま防犯システムが運用されるといった状況を招く可能性がある。この状況下にあっては、非常時に押しボタンスイッチを操作しても、非常信号を発信することができなくなるといった状況を引き起こしてしまう。
【０００６】
この不具合を解消するためには、押しボタンスイッチにタンパ機能を備えさせることが必要になるが、従来のタンパ機能をそのまま使用したのでは、タンパ機能専用のスイッチや接点を備えさせる必要があることから押しボタンスイッチの大型化を避けることは難しく、携帯性を阻害してしまい、実用性に欠けてしまう。
【０００７】
本発明は、かかる点に鑑みてなされたものであり、その目的とするところは、押しボタンスイッチを携帯用として実現可能となるように小型化を図りながらも、第三者や使用者によって各種の機能設定変更が行われる可能性がある状況になった際には、システム管理者がそのことを把握できるようにする押しボタンスイッチを提供することにある。
【０００８】
【課題を解決するための手段】
−発明の概要−
上記目的を達成するために、本発明は、所定の発信信号を発信させる際に押し込み操作される押しボタンをタンパ機能用のボタンとして兼用させ、タンパ機能専用のスイッチや接点を不要としている。
【０００９】
−解決手段−
具体的に、本発明が講じた第１の解決手段は、機能設定の変更を行うための設定変更操作部及び発信信号を発信させる際に押し込み操作される押しボタンを有するスイッチ本体と、上記設定変更操作部を操作不能とするようにスイッチ本体をカバーするカバー部材とを備えた押しボタンスイッチを前提としている。この押しボタンスイッチに対し、カバー部材をスイッチ本体のカバー状態からカバー解除状態とする際、カバー部材から押しボタンに押圧力が与えられて、この押しボタンの押し込み操作が行われる構成としている。
【００１０】
この特定事項により、カバー部材をカバー解除状態にする際には、このカバー部材が押しボタンの押し込み操作を行う。つまり、押しボタンは、通常の発信信号を発信させる際に押し込み操作される手段であると共に、設定変更操作部の操作が行われる可能性がある状況になった際に押し込まれる手段となっている。このため、特別なスイッチや接点を備えさせること無しに、押しボタンスイッチにタンパ機能を付加することができる。
【００１１】
第２の解決手段は、上記第１の解決手段において、カバー部材を筒型に構成し、スイッチ本体がカバー部材の内部空間に挿入され、このスイッチ本体がカバー部材の内部空間から引き抜かれることにより設定変更操作部の操作を可能としている。また、押しボタンをスイッチ本体の表面に突設し、カバー部材の内部空間にスイッチ本体が挿入された状態において押しボタンが臨む開口をカバー部材に形成する。更に、この押しボタンが開口に臨んでいる状態では、カバー部材の内側面よりも押しボタンの頂部を外方に位置させるようにし、このカバー部材の内側面に対する押しボタンの頂部の突出寸法を、スイッチ本体が発信信号を発信するために必要な押し込みストローク以上に設定している。
【００１２】
この特定事項により、スイッチ本体がカバー部材の内部空間から引き抜かれる際には、カバー部材の内側面が押しボタンの頂部を押し込むことになる。この際、押しボタンの頂部は、スイッチ本体が発信信号を発信するために必要な押し込みストローク以上の押し込み量で押し込まれるため、スイッチ本体からの発信信号の発信が確実に行われる。
【００１３】
第３の解決手段は、上記第２の解決手段において、押しボタンをスイッチ本体の表面の複数箇所に突設すると共に、カバー部材の内部空間にスイッチ本体が挿入された状態において各押しボタンが臨む位置にカバー部材の開口を形成する。また、スイッチ本体がカバー部材の内部空間から引き抜かれる際に、２つ以上の押しボタンがカバー部材の内側面によって略同時に押し込まれる構成としている。
【００１４】
この特定事項により、押し込まれる押しボタンによって異なる発信信号を発する押しボタンスイッチを実現することが可能になる。
【００１５】
第４の解決手段は、上記第３の解決手段において、スイッチ本体が、個別に押し込み操作された押しボタンに応じて複数種類の発信信号を発するよう構成する。また、単独で押し込み操作される２つ以上の押しボタンが上記スイッチ本体をカバー部材の内部空間から引き抜く際にカバー部材の内側面によって略同時に押し込まれることにより発する発信信号が、上記各押しボタンが個別に押し込み操作された際の発信信号とは異なる信号となる構成としている。
【００１６】
この特定事項により、通常の押しボタンの押し込み操作時と、スイッチ本体がカバー部材の内部空間から引き抜かれる時とでは、異なる発信信号が発せられるため、この発信信号によって何れの状況であるのかを容易に認識することが可能になる。
【００１７】
【発明の実施の形態】
以下、本発明の実施の形態を図面に基づいて説明する。本形態では、本発明に係る押しボタンスイッチを非常用リモコンスイッチとして適用した場合について説明する。
【００１８】
（第１実施形態）
−リモコンスイッチの構成説明−
図１（ａ）はリモコンスイッチの正面図であり、図１（ｂ）はその側面図であり、図１（ｃ）はその背面図である。また、図２（ａ）は図１（ａ）におけるＡ−Ａ線に沿った断面図であり、図２（ｂ）は図１（ａ）におけるＢ−Ｂ線に沿った断面図である。
【００１９】
これら図に示すように、本リモコンスイッチは、スイッチ本体１と、このスイッチ本体１が挿入されるカバー２とを備えている。以下、各部材１，２について説明する。
【００２０】
図２に示すように、スイッチ本体１は、ケース３と、このケース３にヒンジ接続された蓋体４とが一体的に組み付けられて構成されている。これらケース３及び蓋体４は樹脂成形品である。
【００２１】
ケース３は、前面（図２における上側の面）中央部よりも図２（ａ）中の僅かに右側位置に、押しボタン配設用の開口３１が形成されている。この開口３１の内側面には弾性材料で成る押しボタン３２が取り付けられている。この前面からは蓋体４側に向かってフランジ３３が延び、このフランジ３３に囲まれた内側領域がスイッチ本体１の内部空間１１を構成するようになっている。このフランジ３３の先端の内側部分には蓋体４との合わせ部となる段部３４が形成されており、この段部３４にパッキン５が装着されている。
【００２２】
ケース３の内側にはプリント配線基板３５が収容されている。この基板３５上における上記押しボタン３２に対向した位置にはスイッチ接点３６が配設されている。上記押しボタン３２にはスイッチ接点３６に向かって延びる押し込み部３７が一体形成されている。この構成により、押しボタン３２の押し込み操作（所定押し込みストローク以上の押し込み操作）に伴って押し込み部３７がスイッチ接点３６を押し込んで本リモコンスイッチがＯＮ作動するようになっている。
【００２３】
蓋体４は、上記ケース３の前面と略同形状の平板状でなっている。この蓋体４における上記段部３４に対向する部分には、この段部３４の形状に沿って環状に突出された合わせ部となる突出部４１が形成されている。また、この蓋体４における図２の右端部には図中下側へ膨出した膨出部４２が一体形成されている。この膨出部４２の形成位置は、蓋体４の幅方向（図１（ｃ）における上下方向）中央部に設定されている。
【００２４】
上記ケース３の背面側の一端部（図２における右下部分）には、図２（ａ）の紙面鉛直方向に延びるヒンジピン３８が設けられている。一方、蓋体４の一端部（図２（ａ）における右端部分）には、このヒンジピン３８が挿入される開口４３ａを備えた回動中心部４３を備えている。この回動中心部４３の開口４３ａ内にヒンジピン３８が位置するようにケース３と蓋体４とが組み付けられることにより、このヒンジ接続部分を回動中心として蓋体４がケース３に対して回動自在となっている（図３の矢印参照）。つまり、蓋体４を図３の矢印Ｉに示す方向に回動させることによってスイッチ本体１の内部空間１１が閉鎖される一方、蓋体４を図３の矢印IIに示す方向に回動させることによってスイッチ本体１の内部空間１１が開放される構成となっている。図２に示すような内部空間１１の閉鎖状態にあっては、パッキン５がケース３の段部３４と蓋体４の突出部４１との間で挟持されて弾性変形してスイッチ本体１の内部空間１１を防水するようになっている。
【００２５】
また、スイッチ本体１の内部空間１１に収容されているプリント配線基板３５には、本リモコンスイッチの各種機能の設定を行うためのディップスイッチ群が配設されている。図４はスイッチ本体１の内部空間１１における設定変更部としてのディップスイッチ群６の配設状態を示す概略図である。この図に示すように、このディップスイッチ群６は、８個のディップスイッチが並べられて成る第１スイッチ群６１と、１０個のディップスイッチが並べられて成る第２スイッチ群６２とからなっている。以下、各スイッチ群６１，６２によって設定される機能について説明する。
【００２６】
第１スイッチ群６１は、所謂システムコードスイッチであって、本リモコンスイッチを利用した防犯システムの運用時に、出荷時とは異なる設定にすることにより、本リモコンスイッチのシステムコードを図示しない受信機のシステムコードに一致させるためのスイッチ群である。
【００２７】
第２スイッチ群６２における第１〜第６のディップスイッチ（図４において１〜６の番号を付したもの）は、所謂ループ設定スイッチであって、本リモコンスイッチの発信信号と受信機との対応関係を設定するものである。つまり、本リモコンスイッチが同一の防犯システムにおいて複数個使用される場合に、何れのリモコンスイッチが操作されたかを受信機に認識させるように、つまり、受信機に個々のリモコンスイッチを識別させるように設定するためのスイッチ群である。
【００２８】
また、第２スイッチ群６２における第７のディップスイッチ（図４において番号「７」を付したもの）は、連続送信ＯＮ／ＯＦＦスイッチである。つまり、このスイッチを切り換えることにより、押しボタン３２が押し込み操作された際に連続的に発信信号を送信するのか、押しボタン３２が押し込まれている間のみ発信信号を送信するのかを切り換えることができるようになっている。
【００２９】
第２スイッチ群６２における第８のディップスイッチ（図４において番号「８」を付したもの）は、操作受付時間切り換えスイッチである。つまり、このスイッチを切り換えることにより、押しボタン３２の押し込み操作が瞬間的なものであっても発信信号を送信するのか、この押し込み状態が所定時間継続されない限り発信信号を送信しないのかを切り換えることができるようになっている。
【００３０】
第２スイッチ群６２における第９のディップスイッチ（図４において番号「９」を付したもの）は、誤操作キャンセル機能ＯＮ／ＯＦＦスイッチである。このスイッチを切り換えることにより、押しボタン３２の押し込み操作が行われると無条件に発信信号を送信するのか、この押し込み操作が行われた直後に所定のキャンセル操作（例えば再度の押し込み操作）が行われた際には発信信号を送信しないようにするのかを切り換えることができるようになっている。
【００３１】
第２スイッチ群６２における第１０のディップスイッチ（図４において番号「１０」を付したもの）は、ブザー音ＯＮ／ＯＦＦスイッチである。このスイッチを切り換えることにより、押しボタン３２の押し込み操作時にブザー音を発するようにするか否かを切り換えることができるようになっている。
【００３２】
次に、カバー２について説明する。このカバー２は、断面が略矩形状の筒体で形成された樹脂成形品である。このカバー２の表面及び背面の形状は、上記ケース３及び蓋体４の表面形状に略一致している。このため、図２に示すように、ケース３及び蓋体４が一体的に組み付けられて成るスイッチ本体１がカバー２の内部空間に挿入された際には、これらケース３及び蓋体４の表面の略全体がカバー２の内側面に当接するようになっている。
【００３３】
また、カバー２の前面には、その中央部よりも図１中の僅かに右側位置に開口２１が形成されている。この開口２１は、カバー２内にスイッチ本体１が挿入された際に押しボタン３２が臨む位置に形成されている。このカバー２の背面における図１（ｃ）中の右端部には、上記膨出部４２が嵌まり込む凹部２２が形成されている。
【００３４】
このようにしてスイッチ本体１及びカバー２が構成されているために、リモコンスイッチの初期設定時には、予め、システム管理者がディップスイッチ群６を操作して所定の機能設定を行った後に、図３の矢印Ｉに示すように、段部３４と突出部４１との間にパッキン５を介在させてケース３と蓋体４とを重ね合わせてスイッチ本体１を構成する。
【００３５】
その後、図２に示すように、スイッチ本体１をカバー２の内部空間に挿入する。この挿入により、蓋体４に形成されている膨出部４２がカバー２の凹部２２に嵌まり込み（図１（ｃ）参照）、スイッチ本体１とカバー２との相対位置が決まる。
【００３６】
本形態の特徴は、スイッチ本体１をカバー２から引き抜く際に、カバー２の内側面によって押しボタン３２が押し込まれるように構成されていることにある。以下、この構成について詳述する。
【００３７】
図２及び図５（ａ）に示すように、スイッチ本体１がカバー２の内部空間に挿入された状態では、押しボタン３２の頂点高さ位置がカバー２の内側面よりも外側（図中上側）に位置している。この押しボタン３２の頂点高さ位置とカバー２の内側面との間隔寸法（図５（ａ）の寸法α）は、押しボタン３２がＯＮ作動するのに必要な押し込みストロークと同等か若しくはこの押し込みストロークよりも僅かに大きく設定されている。
【００３８】
このため、スイッチ本体１をカバー２から引き抜く際には、その引抜き動作の途中で、図５（ｂ）に示すように押しボタン３２がカバー２の内側面に当接してこのカバー２の内側面からの押圧力を受けることになる（図５（ｂ）の矢印参照）。つまり、この引抜き動作の途中でリモコンスイッチがＯＮ作動するようになっている。
【００３９】
−動作説明−
先ず、本リモコンスイッチを使用した防犯システムの運用状態について説明する。この防犯システムを管理する管理者（警備会社）は、上述の如く構成されたリモコンスイッチを複数個用意し、それぞれに対してスイッチ本体１を開放しディップスイッチ群６の操作により各種の機能設定を予め行っておく。そして、これら機能設定されたリモコンスイッチは、防犯システムの利用者に貸し与えられ、利用者はこのリモコンスイッチを携帯し、非常時には本リモコンスイッチの押しボタン３２を押し込むといった形態で防犯システムの運用が行われる。例えば、複数のリモコンスイッチのうち１個の押しボタン３２が押し込み操作された際には、何れのリモコンスイッチが操作されたかを受信機が認識し、本受信機は、そのことを管理者に通報する。
【００４０】
一方、侵入等を意図する者がシステムの機能を阻害する目的等で、事前に故意にディップスイッチ群６の設定変更を行おうとしてスイッチ本体１をカバー２から引き抜いた場合や、使用者が不用意にスイッチ本体１をカバー２から引き抜いた場合にあっては、その引き抜き動作の途中で、図５（ｂ）に示すように押しボタン３２がカバー２の内側面からの押圧力を受けて弾性変形しながら押し込まれる。これにより、リモコンスイッチがＯＮ作動し、上記の場合と同様に管理者への通報が行われる。これにより、管理者は、ディップスイッチ群６の設定変更が行われてしまう可能性があることを認識することができ、それに対する対応動作を行うことが可能になる。
【００４１】
非常時に押しボタン３２が押し込み操作された場合と、スイッチ本体１がカバー２から引き抜かれた場合とでは、管理者に対しては同様の通報が行われる。このため、何れの状況であるかを管理者は把握することはできない。しかし、何れの場合であっても管理者は防犯システムの利用者に対して連絡を取ることになるので、これらを識別する必要はない。
【００４２】
−実施形態の効果−
以上説明したように、本形態によれば、通常の押しボタン３２の操作だけでなく、スイッチ本体１がカバー２から引き抜かれた際、つまり、リモコンスイッチの各種設定が変更されてしまう可能性がある際においても、管理者への通報が可能である。しかも、この引き抜きを検知するためのスイッチとして押しボタン３２を兼用しているため、引き抜き検知専用のスイッチや接点を必要とすることがない。即ち、リモコンスイッチの大型化を招くこと無しに「タンパ機能」を付加することができ、携帯性に優れ、しかも信頼性の高いリモコンスイッチを実現することができる。
【００４３】
（第２実施形態）
次に、本発明の第２実施形態について説明する。本形態は、押しボタンの配設位置及び配設個数を変更したものであり、その他の構成は、上述した第１実施形態と同様である。従って、ここでは押しボタンについてのみ説明する。
【００４４】
図６に示すように、本形態に係るリモコンスイッチは、スイッチ本体１の左右両側面（図６（ａ）では上下面）に押しボタン３２ａ，３２ｂが設けられている。また、カバー２の左右両側面には、この押しボタン３２ａ，３２ｂが臨む開口２１ｂが形成されている（図６（ｂ）参照）。
【００４５】
そして、本形態のリモコンスイッチは、これら押しボタン３２ａ，３２ｂが同時に押し込み操作された際にのみＯＮ作動するようになっている。つまり、一方の押しボタンが押し込まれたのみではＯＮ作動しないようにしたことで、使用者が不用意に一方の押しボタンに触れてしまったり、リモコンスイッチが落下して一方の押しボタンが押し込まれたりしてもＯＮ作動せず、誤作動を回避できるようにしている。
【００４６】
また、各押しボタン３２ａ，３２ｂの同時押し込み操作が容易に行えるように、これら押しボタン３２ａ，３２ｂの配設位置は、リモコンスイッチの中心線Ｌを挟んで対称位置に設定されている。
【００４７】
本形態においても、通常の押しボタン３２ａ，３２ｂの操作だけでなく、スイッチ本体１がカバー２から引き抜かれる際には、各押しボタン３２ａ，３２ｂがカバー２の内側面からの押圧力を受けて押し込まれる。これにより、リモコンスイッチがＯＮ作動し、管理者への通報が行われ、この管理者は、ディップスイッチ群６の設定変更が行われてしまう可能性があることを認識することができる。
【００４８】
（第３実施形態）
次に、本発明の第３実施形態について説明する。本形態も、押しボタンの配設位置を変更したものであり、その他の構成は、上述した第２実施形態と同様である。従って、ここでは押しボタンの配設位置についてのみ説明する。また、本形態に係るリモコンスイッチは、通常の押しボタン３２ａ，３２ｂの操作によって２種類の発信信号を個別に発することが可能なものである。このため、防犯システムばかりでなく、例えば、ある装置を２種類の信号によって異なる動作を行わせるためのリモコンスイッチとしても使用可能なものである。
【００４９】
図７に示すように、本形態に係るリモコンスイッチも、上述した第２実施形態と同様に、スイッチ本体１の左右両側面に押しボタン３２ａ，３２ｂが設けられている。これら押しボタン３２ａ，３２ｂは個別に押し込み操作されるものであって、一方の押しボタン３２ａを押し込んだ場合と、他方の押しボタン３２ｂを押し込んだ場合とでは、発信信号が異なるように構成されている。各押しボタン３２ａ，３２ｂの個別の押し込み操作が容易に行えるように、その配設位置は、リモコンスイッチの中心線Ｌを挟んで非対称位置に設定されている。
【００５０】
また、カバー２の左右両側面には、この押しボタン３２ａ，３２ｂに対応した位置に開口２１ｂが形成されている。
【００５１】
更に、本リモコンスイッチは各押しボタン３２ａ，３２ｂが同時に押し込まれた際には、上記２種類の発信信号とは異なる信号を発するように構成されている。
【００５２】
本形態では、通常の押しボタン３２ａ，３２ｂの操作では、これらが個別に押し込み操作されるのに対し、スイッチ本体１がカバー２から引き抜かれる際には、各押しボタン３２ａ，３２ｂがカバー２の内側面からの押圧力を受けて同時に押し込まれる。これにより、押しボタン３２ａ，３２ｂの個別操作時に発する発信信号とは別の発信信号を発し、管理者は、通常の押し込み操作とスイッチ本体１の引き抜き動作とを識別することが可能になる。
【００５３】
（第４実施形態）
次に、本発明の第４実施形態について説明する。本形態は、上述した第１実施形態の構成と第３実施形態の構成とを兼ね備えたものである。つまり、図８に示すように、本形態に係るリモコンスイッチは、スイッチ本体１の前面及び左右両側面に押しボタン３２ａ，３２ｂ，３２ｃが設けられている。各押しボタン３２ａ，３２ｂ，３２ｃは個別に押し込み操作されるものであって、何れの押しボタン３２ａ，３２ｂ，３２ｃが押し込み操作されかによって３種類の発信信号が発信されるようになっている。スイッチ本体１の各側面に配設されている押しボタン３２ａ，３２ｂの配設位置は、リモコンスイッチの中心線Ｌを挟んで非対称位置に設定されている。
【００５４】
また、カバー２の左右両側面及び上面には、これら押しボタン３２ａ，３２ｂ，３２ｃに対応した位置に開口２１ｂ，２１ｃが形成されている。
【００５５】
更に、本リモコンスイッチは各押しボタン３２ａ，３２ｂ，３２ｃが同時に押し込まれた際には、上記３種類の発信信号とは異なる信号を発するように構成されている。
【００５６】
本形態では、通常の押しボタン３２ａ，３２ｂ，３２ｃの操作では、これらが個別に押し込み操作されるのに対し、スイッチ本体１がカバー２から引き抜かれる際には、各押しボタン３２ａ，３２ｂ，３２ｃがカバー２の内側面からの押圧力を受けて同時に押し込まれる。これにより、押しボタン３２ａ，３２ｂ，３２ｃの個別操作時に発する発信信号とは別の発信信号を発し、管理者は、通常の押し込み操作とスイッチ本体１の引き抜き動作とを識別することが可能になる。
【００５７】
また、スイッチ本体１がカバー２から引き抜かれる際に、全ての押しボタン３２ａ，３２ｂ，３２ｃが同時に押し込まれる構成としたが、必ずしも全ての押しボタンが押し込まれる必要はなく、２つの押しボタンのみが押し込まれる構成としてもよい。
【００５８】
（第５実施形態）
次に、本発明の第５実施形態について説明する。上述した各実施形態ではスイッチ本体１をカバー２から引き抜くことにより、この両者を分離できるようにしたが、本形態では、この引き抜き時に、その引き抜き途中でスイッチ本体１がカバー２に係止する構成としたものである。
【００５９】
スイッチ本体１をカバー２から引き抜く際には、図９に示すように、スイッチ本体１がカバー２から抜け出ることなく、スイッチ本体１の一部がカバー２から突出した状態で係止されるようになっている。例えば、図９に示すように、カバー２の内側面に凹部２２を形成しておき、スイッチ本体１に、この凹部２２に嵌まり込む突起１２を形成しておく。カバー２の内側面に形成された凹部２２は、カバー２の各端縁（図中の上下各端縁）には開放しておらず、このカバー２内でのスイッチ本体１のスライド移動範囲を規制している。
【００６０】
このため、スイッチ本体１をカバー２から引き抜く方向へスライド移動させた場合には（図９の矢印参照）、スイッチ本体１の突起１２がカバー２の凹部２２の端部に達した位置でスライド移動が阻止されるようになっている。そして、この状態において、スイッチ本体１の蓋体が開放されて、ディップスイッチ群の操作が行われるようになっている。この状態でのディップスイッチ群の操作を可能とするために、本形態のスイッチ本体１の蓋体は、上述した各実施形態のものよりも小型になっている。また、この状態では、押しボタン３２がカバー２の内側面に常時当接しているので、この押しボタン３２の押し込み操作に伴う発信信号が常時発せられた状態となる。
【００６１】
従って、通常の押しボタン３２の押し込み操作では、一時的に（押しボタン３２が押し込まれている間の数秒間だけ）発信信号が発せられるのに対し、ディップスイッチ群が操作される可能性がある場合には継続して発信信号が発せられる。これにより、管理者は、通常の押し込み操作とスイッチ本体１の引き抜き動作とを識別することが可能になる。
【００６２】
尚、本形態では、スイッチ本体１の引き抜き時にこのスイッチ本体１がカバー２に係止する構成を、第１実施形態に適用した場合について説明したが、本構成は上記第２〜第４実施形態に対して適用することも可能である。
【００６３】
（他の実施形態）
上述した各実施形態では、押しボタンスイッチを非常用リモコンスイッチやある装置を動作させるためのリモコンスイッチとして適用した場合について説明した。本発明はこれに限らず、病院用の非常スイッチに適用するなど、種々の用途に使用することが可能である。また、スイッチの設置状態としても、壁に取り付けたり、吊り下げたりする等種々の設置状態を適用することが可能である。
【００６４】
また、上記各実施形態では、スイッチ本体１がカバー２の内部空間に挿入された状態で、押しボタン３２の頂点高さ位置をカバー２の内側面よりも外側に位置させることにより、スイッチ本体１の引き抜き時に押しボタン３２が押し込まれるようにした。本発明は、これに限らず、スイッチ本体１がカバー２の内部空間に挿入された状態で、押しボタン３２の頂点高さ位置をカバー２の内側面よりも内側に位置させると共に、カバー２の内側面に突起を設けておき、スイッチ本体１の引き抜き時には、この突起により押しボタン３２が押し込まれる構成としてもよい。
【００６５】
更に、機能設定の変更部として、スイッチ本体１の内部空間に収容されたディップスイッチ群６を採用し、蓋体４を開放することによってディップスイッチ群６の操作を可能にしたが、この蓋体４を廃した構成や、スイッチ本体１の表面に機能設定の変更部を設けるようにしてもよい。
【００６６】
【発明の効果】
以上のように、本発明によれば、以下のような効果が発揮される。
【００６７】
請求項１記載の発明では、設定変更操作部及び押しボタンを有するスイッチ本体と、カバー部材とを備えた押しボタンスイッチに対し、カバー部材をカバー解除状態とする際に、このカバー部材が押しボタンの押し込み操作を行うようにしている。このため、通常の押しボタンの操作だけでなく、カバー部材をカバー解除状態とする際、つまり、設定変更操作部の設定変更が行われてしまう可能性がある際においても発信信号を発することが可能である。しかも、このカバー解除状態を検知するためのスイッチとして押しボタンを兼用しているため、従来のタンパ機能に必要であった専用のスイッチや接点が不要である。即ち、押しボタンスイッチの大型化を招くこと無しにタンパ機能を付加することができ、携帯性に優れ、しかも信頼性の高い押しボタンスイッチを実現することができる。
【００６８】
請求項２記載の発明では、スイッチ本体を筒型のカバー部材の内部空間に挿入し、このスイッチ本体がカバー部材の内部空間から引き抜かれることにより設定変更操作部の操作を可能としている。また、スイッチ本体がカバー部材の内部空間から引き抜かれる際には、カバー部材の内側面が押しボタンの頂部を押し込み、その押し込み量は、スイッチ本体が発信信号を発信するために必要な押し込みストローク以上となるようにしている。このため、スイッチ本体からの発信信号の発信が確実に行われ、設定変更操作部の操作が行われる可能性があることを的確に認識することが可能になる。
【００６９】
請求項３記載の発明では、押しボタンをスイッチ本体の表面の複数箇所に突設し、スイッチ本体がカバー部材の内部空間から引き抜かれる際には、２つ以上の押しボタンがカバー部材の内側面によって略同時に押し込まれる構成としている。このため、押し込まれる押しボタンによって異なる発信信号を発する押しボタンスイッチを実現することが可能になり、押しボタンスイッチの汎用性の拡大を図ることができる。
【００７０】
請求項４記載の発明では、単独で押し込み操作される２つ以上の押しボタンが上記スイッチ本体をカバー部材の内部空間から引き抜く際にカバー部材の内側面によって略同時に押し込まれることにより発する発信信号が、各押しボタンが個別に押し込み操作された際の発信信号とは異なる信号となる構成としている。このため、通常の押しボタンの押し込み操作時であるのか、スイッチ本体がカバー部材の内部空間から引き抜かれる時であるのかを容易に認識することが可能になる。その結果、各状況に応じた対応をとることができ、押しボタンスイッチの利用可能範囲の拡大を図ることができる。
【図面の簡単な説明】
【図１】第１実施形態に係るリモコンスイッチを示し、（ａ）は正面図、（ｂ）は側面図、（ｃ）は背面図である。
【図２】（ａ）は図１（ａ）におけるＡ−Ａ線に沿った断面図であり、（ｂ）は図１（ａ）におけるＢ−Ｂ線に沿った断面図である。
【図３】ケースに対する蓋体の開閉動作を説明するための図である。
【図４】スイッチ本体内のディップスイッチ群の配設状態を示す概略図である。
【図５】カバーによる押しボタンの押し込み動作を説明するための要部拡大図である。
【図６】第２実施形態における図１相当図である。
【図７】第３実施形態における図１相当図である。
【図８】第４実施形態における図１相当図である。
【図９】第５実施形態における図１（ａ）相当図である。
【符号の説明】
１        スイッチ本体
１１      内部空間
２        カバー
２１      開口
３２      押しボタン
６        ディップスイッチ群（設定変更部）
【図１】
0004311513.tif 000002
【図２】
0004311513.tif 000003
【図３】
0004311513.tif 000004
【図４】
0004311513.tif 000005
【図５】
0004311513.tif 000006
【図６】
0004311513.tif 000007
【図７】
0004311513.tif 000008
【図８】
0004311513.tif 000009
【図９】
0004311513.tif 000010